【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
ＩＣカードと通信を行う通信手段と、表示手段と、を有する自動改札機であって、
列車の発車番線の情報と列車の発車時刻とを含む列車情報を格納する列車情報格納手段と、
前記通信手段を介して、前記ＩＣカード内の切符情報を取得する切符情報取得手段と、
前記切符情報取得手段が取得した切符情報に基づいて前記切符情報が指定席特急券か自由席特急券かを判定する判定手段と、
前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、
前記発車番線情報取得手段が取得した列車の発車番線の情報を前記表示手段に表示させる表示制御手段と、
を有することを特徴とする自動改札機。
【請求項２】
携帯端末装置と通信を行う通信手段を有する自動改札機であって、
列車の発車番線の情報を含む列車情報を格納する列車情報格納手段と、
前記通信手段を介して、前記携帯端末装置内の切符情報を取得する切符情報取得手段と、
前記切符情報取得手段が取得した切符情報に基づいて前記切符情報が指定席特急券か自由席特急券かを判定する判定手段と、
前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、
前記発車番線情報取得手段が取得した列車の発車番線の情報を、前記通信手段を介して前記携帯端末装置に送信する送信手段と、
を有することを特徴とする自動改札機。
【請求項３】
ＩＣカードと通信を行う通信手段を有する自動改札機であって、
列車の発車番線の情報を含む列車情報を格納する列車情報格納手段と、
前記通信手段を介して、前記ＩＣカード内の切符情報を取得する切符情報取得手段と、
前記切符情報取得手段が取得した切符情報に基づいて前記切符情報が指定席特急券か自由席特急券かを判定する判定手段と、
前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、
前記ＩＣカードが表示部としてディスプレイを有する場合、前記発車番線情報取得手段が取得した列車の発車番線の情報を、前記通信手段を介して前記ＩＣカードに送信する送信手段と、
を有することを特徴とする自動改札機。
【請求項４】
前記列車情報格納手段に格納されている前記列車情報を定期的に更新する更新手段を更に有することを特徴とする請求項１乃至３の何れか1項に記載の自動改札機。
【手続補正２】
【補正対象書類名】明細書
【補正対象項目名】０００７
【補正方法】変更
【補正の内容】
【０００７】
そこで、本発明は、ＩＣカードと通信を行う通信手段と、表示手段と、を有する自動改札機であって、列車の発車番線の情報と列車の発車時刻とを含む列車情報を格納する列車情報格納手段と、前記通信手段を介して、前記ＩＣカード内の切符情報を取得する切符情報取得手段と、前記切符情報取得手段が取得した切符情報に基づいて前記切符情報が指定席特急券か自由席特急券かを判定する判定手段と、前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、前記発車番線情報取得手段が取得した列車の発車番線の情報を前記表示手段に表示させる表示制御手段と、を有することを特徴とする。
係る構成とすることにより、切符の種類が指定席特急券である場合は、指定席特急券に対応する列車の発車番線の情報を自動改札機の表示手段に表示し、切符の種類が自由席特急券の場合は、現在時刻から最も早く乗車可能な列車の発車番線を含む、現在時刻以降の複数の列車の発車番線の情報を自動改札機の表示手段に表示させることができる。
【手続補正３】
【補正対象書類名】明細書
【補正対象項目名】０００８
【補正方法】変更
【補正の内容】
【０００８】
また、本発明は、携帯端末装置と通信を行う通信手段を有する自動改札機であって、列車の発車番線の情報を含む列車情報を格納する列車情報格納手段と、前記通信手段を介して、前記携帯端末装置内の切符情報を取得する切符情報取得手段と、前記切符情報取得手段が取得した切符情報に基づいて前記切符情報が指定席特急券か自由席特急券かを判定する判定手段と、前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、前記発車番線情報取得手段が取得した列車の発車番線の情報を、前記通信手段を介して前記携帯端末装置に送信する送信手段と、を有することを特徴とする。
係る構成とすることにより、切符の種類が指定席特急券である場合は、指定席特急券に対応する列車の発車番線の情報を携帯端末装置に送信し、切符の種類が自由席特急券の場合は、現在時刻から最も早く乗車可能な列車の発車番線を含む、現在時刻以降の複数の列車の発車番線の情報を携帯端末装置に送信し、例えば携帯端末装置の表示手段等に表示させることができる。
【手続補正４】
【補正対象書類名】明細書
【補正対象項目名】０００９
【補正方法】変更
【補正の内容】
【０００９】
また、本発明は、ＩＣカードと通信を行う通信手段を有する自動改札機であって、列車の発車番線の情報を含む列車情報を格納する列車情報格納手段と、前記通信手段を介して、前記ＩＣカード内の切符情報を取得する切符情報取得手段と、前記切符情報取得手段が取得した切符情報に基づいて前記切符情報が指定席特急券か自由席特急券かを判定する判定手段と、前記判定手段において、前記切符情報が指定席特急券であると判定された場合、前記指定席特急券に対応する列車の発車番線の情報を前記列車情報格納手段より取得し、前記切符情報が自由席特急券であると判定された場合、少なくとも、現在時刻から最も早く乗車可能な列車の発車番線を含む、現在時刻以降の複数の列車の発車番線の情報を前記列車情報格納手段より取得する発車番線情報取得手段と、前記ＩＣカードが表示部としてディスプレイを有する場合、前記発車番線情報取得手段が取得した列車の発車番線の情報を、前記通信手段を介して前記ＩＣカードに送信する送信手段と、を有することを特徴とする。
係る構成とすることにより、切符の種類が指定席特急券で、かつ、ＩＣカードが表示部を有している場合は、指定席特急券に対応する列車の発車番線の情報をＩＣカードに送信し、切符の種類が自由席特急券で、かつ、ＩＣカードが表示部を有している場合は、現在時刻から最も早く乗車可能な列車の発車番線を含む、現在時刻以降の複数の列車の発車番線の情報をＩＣカードに送信し、例えばＩＣカードの表示部等に表示させることができる。
【手続補正５】
【補正対象書類名】明細書
【補正対象項目名】００１０
【補正方法】削除
【補正の内容】